(57)【要約】【課題】取り出し部の内容を読むことなく他と区別することが可能なフォルダーを提供する。特に、一種の取り出し部しか存しないフォルダーであっても、取り出し部の内容を読むことなく他のフォルダーとの区分けが付けられるフォルダーを提供する。【解決手段】上地１Ｂと下地１Ａとで構成され、上地１Ｂと下地１Ａの少なくとも１辺が綴じられて収納部３が構成されており、上地１Ｂ若しくは下地１Ａには、収納されたフォルダーを取り出すための取り出し部４が付属され、取り出し部４には、他のフォルダーと区別するための見出しが６設けられる位置５が複数規定されている。【選択図】図１
2008296532.tif 000002
【特許請求の範囲】
【請求項１】
上地と下地とで構成され、上地と下地の少なくとも１辺が綴じられて収納部が構成されており、
上地若しくは下地には、収納されたフォルダーを取り出すための取り出し部が付属され、
取り出し部には、他のフォルダーと区別するための見出しが設けられる位置が複数規定されている、フォルダー。
【請求項２】
下地若しくは上地と取り出し部とが一体整形されている、請求項１記載のフォルダー。
【請求項３】
取り出し部は、透明又は半透明である、請求項１記載のフォルダー。
【請求項４】
一の見出しが設けられる位置と他の見出しが設けられる位置とが線分けによって区分けされている、請求項１記載のフォルダー。
【請求項５】
上地上に開口部を有する第２の収納部が形成されており、
第２の収納部の開口部に接する辺の内、取り出し部から遠い側の辺は、取り出し部が設けられた辺と略平行若しくは略垂直である、請求項１乃至４のいずれか一項に記載のフォルダー。
【請求項６】
上地上に開口部を有する、主としてＣＤ（コンパクトディスク）やＤＶＤ等が収納されるＣＤ収納部が形成されており、
前記取り出し部のいずれかの位置を支点として挟持された場合に、ＣＤ収納部におけるＣＤ収納部開口部に接する辺の内、取り出し部から遠い側の辺が、当該開口部に近づくにつれ重力方向上側になるように設計された、請求項１乃至４のいずれか一項に記載のフォルダー。
【発明の詳細な説明】
【技術分野】
【０００１】
本発明は、取り出し部が設けられたフォルダーに関する。
【背景技術】
【０００２】
以上のようなフォルダーは従来一般に使用されている（例えば、非特許文献１を参照。）。このようなフォルダーの中には、取り出し部の位置が異なるものが用意され、取り出し部の位置によってフォルダー同士を仕分けるものと、取り出し部の位置が一つしか用意されていないものとが存在する。
【０００３】
後者のフォルダーにおける取り出し部は、フォルダーが収納されたフォルダーボックス等の収納器からフォルダーを取り出す際の持ち手になるとともに、フォルダーに収納された書類等の情報を多数記載するための見出しともなる。
【０００４】
しかしながら、取り出し部が一種のみでは、他のフォルダーとの区別するために、取り出し部に記載された情報を全て読む必要がある。
【０００５】
また、取り出し部の位置が複数設定されたフォルダーであっても、設定された数の区分けしか行えない。
【０００６】
さらに、フォルダーによっては、取り出し部の位置が一箇所に規定せざるを得ないものが存在する。例えば、上地上にＣＤ収納部を備えたフォルダーでは、取り出し部を挟持した場合に、ＣＤ収納部の開口部に接続する辺の内、重力方向下側に存することとなる辺が、開口部側に近づくにつれて重力方向上側になるようにすることが要請される。この状態においては収納物は上記辺にガイドされるが、開口部が重力方向下側になってしまうと、収納物がＣＤ収納部の開口部、さらには外へガイドされてしまう。すなわち、ＣＤ収納部に収納されているＣＤやＤＶＤ（適宜、ＣＤ等と表記する。）、保証書等の内容物が重力によって脱落してしまうからである。特に、ＣＤ等は円盤状であるため、ＣＤ収納部から極めて脱落しやすい。したがって、このようなフォルダーでは、取り出し部が設けられる位置とＣＤ収納部が設けられる位置並びにＣＤ収納部の開口部が設けられる位置が実質上一箇所に決められてしまうため、取り出し部の位置を複数設定することが困難である。
【非特許文献１】”カットフォルダー（100％再生紙）A4-E  マチ付  3山”、［online］、プラス株式会社、［２００７年５月２８日検索］、インターネット＜ＵＲＬ：http://item.plus.co.jp/search_2007/DispDetail.do?itemID=t000100000922&volumeName=00014&sv10=&searchDataStrings=&sv1=&sv2=&sv3=&sv4=&sv5=&sv6=&sv7=&sv8=&sv9=＞
【発明の開示】
【発明が解決しようとする課題】
【０００７】
本発明は、上記問題に鑑みなされたものであり、取り出し部の内容を読むことなく他と区別することが可能なフォルダーを提供することを目的とする。特に、一種の取り出し部しか存しないフォルダーであっても、取り出し部の内容を読むことなく他のフォルダーとの区分けが付けられるフォルダーを提供することを目的とする。
【課題を解決するための手段】
【０００８】
上記目的を達成するために、本発明にかかるフォルダーは、以下の構成要件を具備する。
（１）上地と下地とで構成され、上地と下地の少なくとも１辺が綴じられてポケット（収納部）を構成している。
（２）上地若しくは下地には、収納されたフォルダーを取り出すための取り出し部が突設されている。
（３）取り出し部には、他のフォルダーと区別するための見出しが設けられる位置が複数規定されている。
【０００９】
以上のフォルダーによれば、１つの取り出し部において、見出し（インデックス）を記載したり貼り付けたりする箇所が案内されるため、見出しが書かれた場所・見出しが貼り付けられた場所によってフォルダーの種類を仕分けることが可能となる。すなわち、見出しが書かれたり貼り付けられた場所を把握するだけで、フォルダー内に収納された収納物の種類を特定することが可能となるため、フォルダー群の中から所望のフォルダーを取り出すことが容易になる。
【００１０】
上記フォルダーにおいて、取り出し部は半透明又は透明であることが望ましい。取り出し部が半透明又は透明であると、フォルダーが収納器に収納された状態において各フォルダーの見出しの視認性が高くなるため、所望のフォルダーを割り出すことがより容易になる。
【００１１】
上記フォルダーにおいて、下地若しくは上地と取り出し部は一体整形されていてもよい。
また、一の見出しが設けられる位置と他の見出しが設けられる位置とが線分けによって区分けされていてもよい。この区分けに従って見出しを記載したり、見出しが記載されたシールを貼り付けたりすれば、フォルダー同士の区分けが明確となり、所望のフォルダーを割り出すことが容易となる。
【００１２】
この構成は、上地上に第２の収納部が設けられたフォルダーに好適に適用される。第２の収納部は、第２の収納部の開口部に接する辺の内、取り出し部から遠い側の辺は、取り出し部が設けられた辺と略平行若しくは略垂直とされる。
また、取り出し部のいずれかの位置を支点として挟持された場合に、第２の収納部における開口部に接する辺の内、取り出し部から遠い側の辺が、当該開口部に近づくにつれ重力方向上側になるように設計してもよい。
【００１３】
以上の構成を採用すれば、取り出し部のいずれの位置を支点として挟持された場合であっても、第２の収納部の開口部に接する辺の内、重力方向下側の辺は、開口部に対して重力方向上方向〜横方向のいずれかの方向を向くこととなる。したがって、取り出し部が挟持されてフォルダーが取り扱われる場合において、この下側の辺にガイドされて第２の収納部から収納物が脱落することを効果的に防止できる。
フォルダーにこのような機能を付加した場合、取り出し部が突設する位置をフォルダーごとに異なるようにすることは困難であり、当該位置は実質上一箇所に限定されてしまう。このように取り出し部の位置が一箇所に限定されてしまうフォルダーにおいても、取り出し部へ記載された内容を読むことなく、一目でフォルダーの区分けを行うことが可能となる。
【００１４】
上記第２の収納部は、特に好適には、主としてＣＤやＤＶＤ（適宜「ＣＤ等」と表記する。）が収納されるＣＤ収納部とされる。
ＣＤ等は、円盤状であるため、フォルダーが傾けられた場合に、上記辺（開口部に接続する辺の内、取り出し部から遠い側の辺）にガイドされて収納部内を極めて動きやすい。したがって、ＣＤ収納部の開口部の向きを上記したように設定する必要性が極めて高い。このような向きにＣＤ収納部の開口部の向きを設定すると、前記した通り、取り出し部が突設される位置・大きさは、フォルダーにおいて実質上一箇所に限定されてしまう。そのため、フォルダーにおける取り出し部の位置を種々設定し、取り出し部が設けられている位置によってフォルダーに収納されている収納物の種類を区分けするようにすることは実際上行えない。
このようなフォルダーであっても、前記した構成を採用することで、フォルダーに収納された収納物の種類を見出しが設けられている位置を判別するだけで理解することが可能となる。
【００１５】
なお、ＣＤ収納部は、開口部からこれに対向する側（底辺）までの距離は一般に１２ｃｍ以上に設定される。また、取り出しをしやすくするという観点から好適には２０ｃｍ以下にされる。開口部に蓋を設けたり、開口部を内側に折り曲げた形状の弁（逆止弁）を設けることもできる。この場合、ＣＤ等の移動距離（定常状態である底辺に接触した状態から蓋に接触するまでの移動距離）を小さくして蓋・弁に印加される力（仕事）を小さくし、脱落防止性能を十分に発揮するためには、底辺から開口部の距離は１７ｃｍ以下にするとよい。
【発明の効果】
【００１６】
上記説明からも明らかなように、本発明によれば、取り出し部の内容を読むことなく他のフォルダーと区別することが可能なフォルダーを提供することが可能となる。
【発明を実施するための最良の形態】
【００１７】
以下、本発明の実施の形態に係るフォルダーを、図面を参照しながら詳細に説明する。
【実施例１】
【００１８】
図１は、本実施の形態に係る第１のフォルダー１を示した正面図である。フォルダー１は、１枚のポリプロピレンシートが辺１ａで折り曲げられ（綴じられ）下地１Ａ上と上地１Ｂとされている。辺１ａの一端に接続する下地の辺１Ａｂと上地の辺１Ｂｂ、他端に接続する下地の辺１Ａｃと上地の辺１Ｂｃは、それぞれ熱融着されて綴じられている。辺１ａと対向する辺（１Ａｄ、１Ｂｄ）は綴じられていない。下地１Ａと上地１Ｂとの間にはマチが設けられている。したがって、フォルダー１は、下地の辺１Ａｄと上地辺１Ｂｄとで構成される開口部２を備え、上地・下地の他の端（辺）が綴じられた、書類等が収納される収納部３が形成されている。
【００１９】
下地の辺１Ａｄには、下地１Ａと一体整形された取り出し部４が突設されている。取り出し部４には、区分け線５Ａ、５Ｂが形成されている。区分け線５Ａ、５Ｂは、ポリプロピレンで形成された取り出し部４に所定の圧が印加されて設けられた筋である。区分け線５Ａ及び５Ｂは、取り出し部４を３つの領域（見出し部）６Ａ、６Ｂ、６Ｃに仕切っている。
【００２０】
以上のようにして設けられた見出し部６Ａ、６Ｂ、６Ｃは、いずれかの領域に、フォルダー１に収納された収納物を示す見出しが記載されたり（図２参照。見出し部６Ａに「特許０１」と記載されている。）、見出しが記載されたシールが貼り付けられたり（図３参照。見出し部６Ｃに「商標０５」と記載されたシールが貼られている。）する。
【００２１】
図４に、フォルダー１がフォルダー収納器であるフォルダーボックス７に収納された様子を示す。なお、便宜上、フォルダーボックス７は点線で示す。
図４に示すように、フォルダー１−１〜１−４には、見出し部６Ａ〜６Ｃのいずれかの領域に見出しが記載されたシールが貼り付けられている。フォルダー１−１は、見出し部６Ｃに「商標０２」という見出しが貼り付けられている。フォルダー１−２は、見出し部６Ａに「特許０１」という見出しが貼り付けられている。フォルダー１−３は、見出し部６Ｂに「意匠０１」という見出しが貼り付けられている。フォルダー１−４は、見出し部６Ｃに「商標０１」という見出しが貼り付けられている。
【００２２】
このように、図４に示すフォルダーボックス７における運用においては、特許に関する書類が収納されているフォルダーには見出し部６Ａの領域に見出しが貼り付けられ、意匠に関する書類が収納されているフォルダーには見出し部６Ｂの領域に見出し部が貼り付けられ、商標に関する書類が収納されているフォルダーには６Ｃの領域に見出し部が貼り付けられている。したがって、見出しが貼り付けられている領域を見分けるだけで、フォルダーに収納されている収納物の種類を判別することが可能となる。また、同じ見出し部に見出しが貼り付けられたフォルダー同士（フォルダー１−１とフォルダー１−４）は、見出しの内容を読むことで判別することができる。
【００２３】
取り出し部４は、図４に示すように、フォルダー収納器において手前側に突設した状態で収納されるため、特に、フォルダー収納器から取り出す際の持ち手（取っ手）として機能する。
【００２４】
このように、上記したフォルダー１によれば、フォルダーにおける取り出し部が設けられる位置・取り出し部の大きさが一つに規定されたフォルダーにおいて、取り出し部に記載されたり貼り付けられたりして設けられた見出しの内容を読むことなく、フォルダーに収納された収納物の種類を判別することが可能となる。
【００２５】
特に、上記フォルダー１は取り出し部４が透明なため、複数のフォルダー（取り出し部）が収納されたフォルダー収納器において、各フォルダーの取り出し部４の状態（見出しが設けられた位置）を一覧できる。したがって、フォルダー収納器に収納された各フォルダー１がどのような種類の収納物を収納しているか一目で把握することができる。なお、取り出し部４を半透明にしても上記作用を奏する。
【００２６】
上記フォルダー１は、さらに、以下のように変形することもできる。
・区分け線５を印刷などにより取り出し部４に形成してもよい。このように形成されたフォルダー１も上記作用を奏する。
【００２７】
・取り出し部４を下地１Ａとは別整形してもよい。すなわち、取り出し部４を下地１Ａと別々に形成した後に両者を貼り合わせるなどして結合してフォルダー１を作成してもよい。このように形成しても上記した作用を奏する。特に、下地１Ａが非透明である場合、透明若しくは半透明な取り出し部４を下地１Ａに取り付けてフォルダー１を作成すれば、前記したようにフォルダー収納器に収納された際の一覧性を極めて良好にすることができる。
なお、下地１Ａ、上地１Ｂは、それぞれ半透明であっても非透明であってもよい。
【００２８】
・取り出し部４を非透明にすることもできる。この場合、上記した一覧性に関する性能は低下してしまうが、他の作用は十分に奏する。
【００２９】
・見出しが設けられる位置の区分け方法は、見出し部を線分けによって区分けする方法に限定されない。例えば、図５に示すように、見出しを記載する位置や見出しが記載されたシールを貼り付ける位置を矩形の線図等で示してもよい。図６に示すように、例えば透明な取り出し部４において、半透明又は非透明の領域を複数設け、この領域を見出し部６とするなど、取り出し部４と見出し部６との色（金属色、透明を含む概念）を異なるようにして見出しが設けられる位置を規定してもよい。ポリプロピレンなどの見出しを記入しにくい取り出し部４上に、鉛筆やボールペンなどによる描画が可能な領域を複数設け、この領域を見出し部６としてもよい。
【００３０】
・下地１Ａと上地１Ｂを別々に形成し、これを熱融着などにより貼り合わせて（綴じて）フォルダーを構成することもできる。
【００３１】
・下地１Ａと上地１Ｂとの綴じ方は前記した綴じ方に限られず、少なくとも一辺を綴じることで収納部（ポケット）３を設ければよい。例えば、図７に示すように、取り出し部４が設けられた辺１Ａｄ（１Ｂｄ）の一端と直交する辺１Ａｂ（１Ｂｂ）と、辺１Ａｄ（１Ｂｄ）と対向する辺１ａの二辺を綴じたフォルダーとしてもよい。図８に示すように、取り出し部４が設けられた辺１Ａｄ（１Ｂｄ）に対向する辺１ａのみが綴じられたフォルダーとしてもよい。
【００３２】
・下地１Ａと上地１Ｂは矩形に限定されず、例えば図９に示すように、上地１Ｂの辺１Ｂｃを直線部と曲線部とで構成された非直線の辺とすることもできる。
上記構成は、上地１Ｂ上にポケット地が綴じられて第２の収納部が形成されたフォルダーに好適に採用される。以下、このフォルダーについて説明する。
【実施例２】
【００３３】
図１０に、本実施の形態に係る第２のフォルダー１０を示す。図１０において第１のフォルダー１と同等の構成要素については同一の符号を付し、説明を省略する。
図１０に示すように、フォルダー１０は、上地１Ｂの下地１Ａと接していない側の面上にポケット地１１が配置されている。ポケット地１１は、取り出し部４が設けられた辺１Ａｄ側の辺１１ｄと、辺１１ｄと略平行な辺１１ａと、辺１１ｄと辺１１ａとを結ぶ辺１１ｂとが、それぞれ上地１Ｂと熱融着により綴じられている。辺１１ｃは上地１Ｂと綴じられていない。すなわち、辺１１ｃと上地１Ｂとで開口部（第２の収納部開口部）１２を構成し、ポケット地１１における他の端（辺）１１ａ、１１ｂ、１１ｄが上地と綴じられ、第２の収納部１３が形成されている。
【００３４】
このように、第２の収納部開口部１２（辺１１ｃ）に接する辺の内、取り出し部４から遠い側の辺１１ａは、取り出し部が設けられている辺１Ａｄと平行である。したがって、取り出し部４のいずれの位置を支点として挟持されても、辺１１ａは第２の収納部開口部１２側が重力方向上側となる。したがって、取り出し部４を挟持されて取り扱われる場合に、辺１１ａにガイドされて第２の収納部１３に収納された収納物が脱落することが防止されている。
【００３５】
以上の収納物脱落防止機能をより確実に発揮するためには、フォルダー１０における収納部１３の位置、取り出し部４の設けられる位置、取り出し部４の大きさ等が限定される。また、フォルダー１０ごとに取り出し部４の設けられる位置、大きさ等を変更すると、フォルダー１０ごとに収納物脱落防止機能の性能が異なるものとなってしまう。したがって、第２の収納部１３が設けられるフォルダー１０においては、フォルダー１０ごとに取り出し部４の設けられる位置・大きさを変えることで、フォルダー１０同士を見分けられるようにすることは困難である。
【００３６】
これに対し、フォルダー１０は、フォルダーの仕分け（収納されている収納物の種類の判別）を行えるようにするため、１つの取り出し部４に区分け線５Ａ、５Ｂが設けられて見出し部６Ａ〜６Ｃが形成される。これにより、いずれの見出し部に見出しが記入等されているかということを見分けるだけでフォルダー１０に収納されている収納物の種類が判断することが可能となる。
【００３７】
本実施の形態に係るフォルダー１０は、上記構成を備えているため、第２の収納部１３からの収納物脱落防止機能が得られるとともに、フォルダーに収納された収納物を見出しが記載等された位置を把握するだけで判別することが可能となる。このように、各フォルダーにおいて取り出し部４が設けられる位置・大きさを一つに限定せざるを得ないフォルダーにおいて、上記構成は特に効力を発揮する。例えば、第２の収納部１３がＣＤ等が収納されるＣＤ等収納部とされたフォルダーにおいて極めて優れた効力を発揮する。
【実施例３】
【００３８】
図１１は、ＣＤ収納部を備えたフォルダー２０を示す。図１１において、前記したフォルダーと同等の構成要素については同一の符号を付し、説明は省略する。
図１１に示すように、ＣＤ収納部２１には主としてＣＤ等が収納される。ＣＤ等は、円盤状であるため、フォルダ２０の傾きに応じて辺１１ａ〜１１ｃにガイドされてＣＤ収納部２１内の位置を変えやすく、脱落しやすい。したがって、ＣＤ収納部開口部２２に接続する辺の内、重力方向下側になる辺である辺１１ｂは、フォルダ２０の持ち手である取り出し部４が挟持された際、ＣＤ収納部開口部２２側が上側となるように設計する必要がある。
【００３９】
そこで、辺１１ｂは、取り出し部４が設けられた辺１Ａｄと直交する関係の直線で構成されている。辺１１ｂは、取り出し部４が挟持された際に、辺１１ｃよりも下側となり、収納物であるＣＤ等をガイドすることになるため、この辺を上記したように構成し、ＣＤ等をＣＤ収納部２１内部側（辺１１ｂ側）にガイドするようにする必要があるからである。
【００４０】
また、ＣＤ等の脱落防止性能をさらに高くするために、ＣＤ収納部開口部２２には、内側に折られた形態の弁２３が設けられる。弁２３は、ＣＤ収納部開口部２２から脱落しようとするＣＤ等を内側（弁２３とポケット地１１とで形成される空間において保持し、ＣＤ等の脱落を防止する。
【００４１】
以上の要件を具備し、かつ、異なるフォルダーにおいてもそれぞれ同等の機能（ＣＤ等の脱落防止性能）が発揮されるようにするためには、取り出し部４の位置・大きさは実質上一つに限定せざるを得ない。したがって、取り出し部４に記載された内容を読むことなく他のフォルダーとのおおよその区別ができるようにするため、区分け線５を設けるなどして見出し部６が設けられる。
【００４２】
このように、取り出し部４の位置等についてバリエーションを持たせることが困難なフォルダーであっても、取り出し部４に複数の見出し部６を設けることで区分けられるようにすれば、取り出し部４に記載された内容を読むことなく、収納されている収納物の種類を判断することが可能となる。
【００４３】
なお、第２の収納部やＣＤ収納部の開口部の向きは、以上の作用を奏する向きであれば設計を変更することができる。具体的には、第２の収納部やＣＤ収納部は、以下のいずれかのように設計される。
・第２の収納部（ＣＤ収納部）の開口部に接する辺の内、取り出し部から遠い側の辺は、取り出し部が設けられた辺と略平行若しくは略垂直。
・取り出し部のいずれかの位置を支点として挟持された場合に、第２の収納部（ＣＤ収納部）における開口部に接する辺の内、取り出し部から遠い側の辺が、当該開口部に近づくにつれ重力方向上になる形状。
【図面の簡単な説明】
【００４４】
【図１】本実施の形態に係るフォルダー１を示した正面図である。
【図２】本実施の形態に係るフォルダー１の見出し部６Ａに見出しが記載された様子を示す図である。
【図３】本実施の形態に係るフォルダー１の見出し部６Ｃに見出しが記載されたシールが貼られた様子を示す図である。
【図４】本実施の形態に係るフォルダー１が、フォルダー収納器であるフォルダー収納ボックス７に複数収納された様子を示す斜視図である。
【図５】本実施の形態に係るフォルダー１の他の見出し部の例を示す正面図である。
【図６】本実施の形態に係るフォルダー１のその他の見出し部の例を示す正面図である。
【図７】本実施の形態に係る他のフォルダーの形態を示す正面図である。
【図８】本実施の形態に係るその他のフォルダーの形態を示す正面図である。
【図９】本実施の形態に係るさらに別のフォルダーの形態を示す正面図である。
【図１０】本実施の形態に係るフォルダー１０を示した正面図である。
【図１１】本実施の形態に係るフォルダー２０を示した正面図である。
【符号の説明】
【００４５】
１：フォルダー
２：開口部
３：収納部
４：取り出し部
５：区分け線
６：見出し部
７：フォルダー収納ボックス
１０：第２の収納部付きフォルダー
１１：ポケット地
１２：第２の収納部開口部
１３：第２の収納部
２０：ＣＤ収納部付きフォルダー
２１：ＣＤ収納部
２２：ＣＤ収納部開口部
２３：弁
【図１】
2008296532.tif 000003
【図２】
2008296532.tif 000004
【図３】
2008296532.tif 000005
【図４】
2008296532.tif 000006
【図５】
2008296532.tif 000007
【図６】
2008296532.tif 000008
【図７】
2008296532.tif 000009
【図８】
2008296532.tif 000010
【図９】
2008296532.tif 000011
【図１０】
2008296532.tif 000012
【図１１】
2008296532.tif 000013